(57)【要約】【課題】  藺草織物を使用した敷物であって、それに使用する表面にフイルム樹脂を貼り付けた藺草敷物であり、滑り止めの効果を高めている表面被覆した藺草織物の構造体を提供することにある。【解決手段】  透視性を有する樹脂フイルムを融着被覆させた藺草織物を使用した敷物であって、滑り止め効果を持たせた表面の藺草織物の織り方における経糸の綿撚糸の太さを１ｍｍ〜３ｍｍであって、縦の撚糸と横の藺草を交互に織っている滑り止めフイルム加工した藺草敷物である。藺草織物の織り方における経糸は綿撚糸の太さを綿糸の３本から７本を撚ったものである。【選択図】  図２
0003140128.tif 000002
【実用新案登録請求の範囲】
【請求項１】
透視性を有する樹脂フイルムを融着被覆させた藺草織物を使用した敷物であって、表面の滑り止め効果を持たせた藺草織物の織り方で、経糸の綿撚糸の太さを１ｍｍ〜３ｍｍで、縦の経糸と横の藺草を交互に織っていることを特徴とする滑り止めフイルム加工した藺草敷物
【請求項２】
請求項１において、融着被覆させる樹脂フイルムは、透視性、および半透視性の熱可塑性樹脂であるポリ塩化ビニール系、ポリオレフィン系、ポリスチレン系から選ばれたものであって、厚さ２０ミクロン〜１００ミクロンであることを特徴とする滑り止めフイルム加工した藺草敷物
【請求項３】
請求項１において、藺草織物の表面の織り方における経糸は綿撚糸の太さを綿糸の３本から７本を撚ったものであって、織り方での縦糸の間隔を５ｍｍ〜２０ｍｍにしていることを特徴とする滑り止めフイルム加工した藺草敷物
【請求項４】
請求項１から請求項３のいずれか一つにおいて、縦の経糸である撚糸と横の藺草を交互に織っている横糸となる藺草は、綿製の撚糸で交互に織っている目関織りであることを特徴とする滑り止めフイルム加工した藺草敷物
【請求項５】
請求項１から請求項４のいずれか一つにおいて、藺草織物を使用した敷物であって、平面板状の藺草敷物構成体を備えたもので、デザイン性をもたせた藺草敷物で、色彩、織り方を変えた藺草敷物を組み合わせた構成体であることを特徴とする滑り止めフイルム加工した藺草敷物
【請求項６】
請求項１から請求項４のいずれか一つにおいて、藺草織物を使用した敷物であって、表面部の藺草織物に光触媒の効果をもつ酸化チタン、およびカテキン成分を持つ物質を含有させていることを特徴とする滑り止めフイルム加工した藺草敷物
【考案の詳細な説明】
【技術分野】
【０００１】
本考案は、透視性を有する樹脂フイルムを融着被覆させた藺草織物を使用した敷物であって、滑り止め効果を持たせた表面被覆体などの藺草織物構造体に関する
【背景技術】
【０００２】
茣蓙に代表される藺草敷物は、蒸し暑い日本の夏に欠かせない敷物として長年消費者に親しまれている。藺草敷物は、天然素材である藺草を使用しているため自然の温もりを強く感じることが出来、また落ち着いた和の雰囲気を醸し出すことができる敷物である
藺草敷物は、通常、経糸に対し藺草を交互に織成した藺草敷物を基材としている。このため、裁断した藺草敷物をそのまま使用すると、裁断端部から露出した藺草の繊維が擦れて繊維が逆立ち、ケバ立ちが起きてしまう。
【０００３】
一般に畳表マットのように、藺草織物の裁断箇所を縁布で覆う場合は、縁布が敷物表面に必ず表れてしまうので、昔ながらの茣蓙のように、藺草敷物特有の縁布が付いた、ありきたりのデザインにならざるを得ない（特許文献１参照）。
さらに縁なし畳のように、裁断側を折り返した場合では、縁なし畳の四隅部分に藺草織物の裁断端部が位置するようになる。このため、長年使用していると部屋に敷いた縁なし畳が互いに擦れ合って、この四つの隅部分の裁断端部が擦れてここから藺草織物が破損しやすい（特許文献２参照）。
【０００４】
更に藺草織物は、藺草の織成方向の関係から、経糸方向には折り曲げやすいが、経糸と直角方向には藺草の茎が折れるような状況になるため、折り曲げにくいという欠点がある。
このような欠点をなくするために、藺草の敷物の表面のフイルムを融着させているものを考案した。（特許文献３参照）。その場合にはフイルムの圧着融着によって、表面の凹凸が少なく、表面が滑りやすくなっている。茣蓙、畳表の表面にフイルム融着させた敷物はすでに知ら、特徴も明らかにされている。しかし従来の畳、茣蓙での藺草の織り方においては非常に滑りやすくなっている。
【０００５】
【特許文献１】特開平８−１８３２９９号
【特許文献２】特表２００３−５３４９５３号
【特許文献３】特開平２００７−２３９３５２号
【考案の開示】
【考案が解決しようとする課題】
【０００６】
この藺草敷物として、藺草を使用した敷物に樹脂フイルムを藺草の敷物の表面に貼り付けることが効果的である。しかしその表面は貼り付けていないものに比較して、滑りやすくなっている。これを改良されることが求められている。今回は樹脂フイルムを貼り付けた敷物において滑り止め効果をもたらした藺草の敷物、畳を提供することを目的とした。
【０００７】
従来と同じ藺草の織物では、フイルムを貼り合わせた時に、圧力処理により、藺草の敷物の表面が平滑になって、滑り善くなる。この処理方法を施さないと表面への付着が十分ではなく、フイルムの貼り合わせによっても凹凸が明白になるように畳表にすることが要求される。畳表に凹凸が大きくなるような畳表にしておく必要がある。それによってフイルムを覆ってしまうと、フイルム張り合わせの藺草織物本体の大部分が凹凸になって、滑る止めの効果がもたらされる。
【課題を解決するための手段】
【０００８】
透視性を有する樹脂フイルムを融着被覆させた藺草織物を使用した敷物であって、滑り止め効果を持たせた藺草織物の表面の織り方における経糸の綿撚糸の太さを１ｍｍ〜３ｍｍであって、縦の撚糸と横の藺草を交互に織っている滑り止めフイルム加工した藺草敷物である。
【０００９】
融着被覆させる樹脂フイルムは、透視性、および半透視性の熱可塑性樹脂であるポリ塩化ビニール系、ポリオレフィン系、ポリスチレン系からえらばれたものであって、厚さ１０ミクロン〜１００ミクロンである。好ましくは５０ミクロンから１００ミクロンである。
藺草織物の織り方における経糸は綿撚糸の太さを綿糸の３本から７本を撚ったものであって、織り方での経糸の間隔を５ｍｍ〜２０ｍｍにしている。
縦の撚糸と横の藺草を交互に織っている横糸となる藺草は、綿製の撚糸との交互に織っている。
【００１０】
藺草織物を使用した敷物であって、平面板状の藺草敷物構成体を備えたもので、デザイン性をもたせた藺草敷物で、色彩、織り方を変えた藺草敷物を組み合わせた構成体である。
藺草織物を使用した敷物であって、表面部の藺草織物に光触媒の効果をもつ酸化チタン、およびカテキン成分を持つ物質を含有させている滑り止めフイルム加工した藺草敷物である。
【００１１】
裁断の端部を有する藺草織物を使用した敷物であって、滑り止め効果を持たせた藺草織物を使用した敷物である。滑り止めとしては形状として凹凸を持たせることである。その凹凸の形状は高さで１〜５ｍｍ程度であって、薄いと藺草の固定性で効果を持たない、また厚い場合には巻いたりする場合に容積でかさむことになる。とくに２〜３ｍｍの厚さが好ましい。
【００１２】
藺草織物を使用した敷物であって、表面部の藺草織物のシートとのいずれかに光触媒の効果をもつ酸化チタン、およびカテキン成分を持つ物質を含有させている。人体に影響を与えず、のみ、ダニ、微生物の繁殖を防止する物質を含有させておくことである。防虫剤、殺菌剤、防臭剤、防虫剤などが使用することができるが、人体に優しい材料としてはカテキン、酸化チタンなどが使用することができる。
【００１３】
本考案は、藺草織物を使用した敷物であって、少なくとも藺草織物の表面全体あるいは少なくとも上記藺草織物の表面全体に、透視性を有する被覆フイルムが融着被覆させており、藺草織物を使用した敷物である。
また藺草敷物における構成体の幅方向の両端側の上部は、角張らずに曲面状または丸みをつけて形成されていることが好ましい。
【００１４】
本考案は、藺草織物を使用した敷物であって、該藺草敷物構成体は、表面全体に被覆させてある熱可塑性樹脂からなる透視性を有する被覆フイルムを有している。
被覆用フィルムは、加熱用のヒーターを有する真空吸引被覆装置を用いた加熱操作と真空吸引操作により藺草織物の表面全体の凹凸に沿って融着させてあり、この融着に伴う圧力で変形することによって、少なくとも藺草敷物構成体の幅方向の両端側の上部は角張らずに曲面状または丸みをつけて形成されている、藺草織物を使用した敷物である。
【考案の効果】
【００１５】
藺草を使用した敷物に樹脂フイルムを藺草の敷物の表面に貼り付けることが効果的である。しかしその表面は貼り付けていないものに比較して、滑りやすくなっている。これを改良されることが求められている。今回は樹脂フイルムを融着にして貼り付けた敷物において滑り止め効果をもたらした敷物を提供したものがきた。
【００１６】
藺草織物を使用した敷物であって、それに使用する藺草敷物の構成している藺草織物、表面被覆体などの表面の色彩、織り方によってデザイン性藺草織物構造体を得た。
また藺草織物の表面全体に、透視性を有する被覆フイルムが融着被覆させてあるので、藺草織物の表面全体を被覆フイルムで融着被覆すれば、飲料などの水分を含む物質を透過せずに、汚れを防ぎ、衛生的であった。
【００１７】
被覆フイルムが加熱用のヒーターを有する真空吸引皮膜装置を用いた加熱操作と真空吸引操作により藺草織物表面の凹凸に沿って密着するように被覆させてあるものは、藺草織物本来の質感や風合いで損なわれることはなく、藺草織物の表面全体が被覆フイルムにより被覆されているので、敷物表面側は耐水性及び耐汚染性を有している。また表面に汚れが付着した場合でも、雑巾等で水拭きして簡単に汚れを落とすことができる。
【考案を実施するための最良の形態】
【００１８】
本考案に係るフイルム加工した藺草を使用した敷物としては、介護施設、飲食店などの部屋に敷く藺草敷物や藺草畳、あるいは温泉浴場の脱衣所に敷く敷物等の様々な敷物を挙げることができる。
この具体例はあくまで代表的なものであり、特にこれらに限定するものではない。
以下、本考案を実施例により説明するが、図面に示した実施例に基づき更に詳細に説明する。
【実施例１】
【００１９】
図１ないし図２は、本考案に係る藺草織物を使用した敷物の第一の実施例を示す説明図である。以下、「藺草織物を使用した敷物」を単に「藺草敷物」という。
図１は、フイルム付きへりなし畳（藺草織物）の斜視図である。
図２は、フイルム付き藺草織物からなる畳の断面図であり、図５に藺草織物で引目織から目関織に変えて、滑り止め効果をもたらしたものである。
【００２０】
図３は、図４に従来の藺草織物からなる縁畳の斜視図と引目織の断面図である。
藺草敷物は、藺草と経糸により藺草織物機によって敷物が織られた。経糸の撚糸は綿であって太さが２ｍｍであって、目関織の織り方にした。撚糸の間隔は５ｍｍでおこなった。
この藺草敷物に  ８０ミクロンのポリプロピレンフイルムを接着ボンド（コニシＣＶＣ５５５）にて薄く張り合わせる。その８０ミクロンのポリプロピレンフイルムを貼った藺草茣蓙をローラーにて通し、仮固定した。仮固定した茣蓙を真空装置にて３分にて固めた。茣蓙の裏面に芯基体を接着ボンドにて固定した。茣蓙の四隅角部分をボンドにて強度を補強した。
【００２１】
このフイルムを張った茣蓙は、滑りがなく歩行に快適であった。また水分をはじき水の浸透性はなかった。またフイルムの接着による藺草のほぐれもなく、長期間変色もなく安定に藺草の特色が保持できた。
【実施例２】
【００２２】
図１ないし図２は、本考案に係る藺草織物を使用した敷物の第一の実施例を示す説明図である。以下、「藺草織物を使用した敷物」を単に「藺草敷物」という。
図１は、フイルム付きへりなし畳（藺草織物）の斜視図である。
図２は、フイルム付き藺草織物からなる畳の断面図であり、図５に藺草織物で引目織から目関織に変えて、滑り止め効果をもたらしたものである。
【００２３】
図３は、図４に従来の藺草織物からなる縁畳の斜視図と引目織の断面図である。
実施例１で経糸の太さと間隔を変えて、藺草敷物は、藺草と経糸により藺草織物機によって敷物が織られた。経糸の撚糸は綿であって太さが２．５ｍｍであって、目関織の織り方にした。撚糸の間隔は７ｍｍでおこなった。
【００２４】
この藺草敷物に  ８０ミクロンのポリプロピレンフイルムを接着ボンド（コニシＣＶＣ５５５）にて薄く張り合わせる。その８０ミクロンのポリプロピレンフイルムを貼った藺草茣蓙をローラーにて通し、仮固定した。仮固定した茣蓙を真空装置にて３分にて固めた。茣蓙の裏面に芯基体を接着ボンドにて固定した。茣蓙の四隅角部分をボンドにて強度を補強した。
【００２５】
実施例１と同様に、 このフイルムを張った茣蓙は、滑りがなく歩行に快適であった。また水分をはじき水の浸透性はなかった。またフイルムの接着による藺草のほぐれもなく、長期間変色もなく安定に藺草の特色が保持できた。
「比較例１」
【００２６】
図３は、フイルム付きへりあり畳（藺草織物）の斜視図である。
図４に藺草織物で実施例１の目関織から引目織に変えたものである。
藺草敷物は、藺草と経糸により藺草織物機によって敷物が織られた。経糸の撚糸は綿であって太さが１ｍｍであって、引目織の織り方にした。撚糸の間隔は５ｍｍでおこなった。
【００２７】
この藺草敷物に  ８０ミクロンのポリプロピレンフイルムを接着ボンド（コニシＣＶＣ５５５）にて薄く張り合わせる。その８０ミクロンのポリプロピレンフイルムを貼った藺草茣蓙をローラーにて通し、仮固定した。仮固定した茣蓙を真空装置にて３分にて固めた。茣蓙の裏面に芯基体を接着ボンドにて固定した。
このフイルムを張った茣蓙は、滑りがあり、歩行に対して満足いくものではなかった。
【図面の簡単な説明】
【００２８】
【図１】フイルム付きへりなし畳（藺草織物）の斜視図。
【図２】フイルム付き藺草織物からなる畳の断面図。
【図３】従来の藺草織物からなる縁畳の斜視図
【図４】従来の藺草織物の敷物（引目織）の断面図
【図５】滑り止め付き藺草織物の敷物(目関織)の断面図
【符号の説明】
【００２９】
１  藺草敷物
２  被覆フイルム
３  裁断端部
６  芯基体
７  底面シート
１１  縁部
１２  経糸
【図１】
0003140128.tif 000003
【図２】
0003140128.tif 000004
【図３】
0003140128.tif 000005
【図４】
0003140128.tif 000006
【図５】
0003140128.tif 000007